(57)【要約】【課題】表示装置における画面内でフリッカによって表現される全ての領域の表示色を同時に変更して点滅のタイミングの同期を図ることにより、画面上の情報をオペレータに見易く、しかも正確に伝えることのできる表示装置を提供する。【解決手段】表示管理モジュール１にシンボル画像Ｗ１〜Ｗ６の表示状態を変更する手段と、全てのシンボル画像Ｗ１〜Ｗ６の表示状態の変更が完了するまでシンボル画像Ｗ１〜Ｗ６の表示状態変更情報を保存する変更イメージ生成用内部バッファ５とを設けると共に、映像処理装置７は表示管理モジュール１に保存されたシンボル画像Ｗ１〜Ｗ６の表示状態変更情報を受け取り、シンボル画像Ｗ１〜Ｗ６の表示状態変更情報をシンボル画像Ｗ１〜Ｗ６間において同じタイミングによりモニタ装置９に映し出す。【選択図】図１
2010066342.tif 000002
【特許請求の範囲】
【請求項１】
モニタ装置に配置された複数のシンボル画像をフリッカによって表示する表示装置であって、
上記複数のシンボル画像の表示状態を変更する変更手段と、
全ての上記シンボル画像の表示状態の変更が完了するまで上記複数のシンボル画像の表示状態変更情報を保存する保存手段と、
保存された上記複数のシンボル画像の表示状態変更情報を受け取るとともに、上記複数のシンボル画像の表示状態変更情報を上記複数のシンボル画像間において同じタイミングにより上記モニタ装置に映し出す映像処理手段と、
上記変更手段、上記保存手段及び上記映像処理手段をともに所定の周期で動作させるための計時手段とを設けたことを特徴とする表示装置。
【請求項２】
モニタ装置に配置された複数のシンボル画像をフリッカによって表示する表示装置であって、
上記複数のシンボル画像の表示状態に係る情報であって、互いに相違する表示状態に係る情報が予め保存されている複数の保存手段と、
所定の周期で順次、上記複数の保存手段のうちから１つの保存手段を選択し選択された当該保存手段に保存された上記複数のシンボル画像の表示状態に係る情報を上記モニタ装置に映し出す映像処理手段とを設けたことを特徴とする表示装置。
【請求項３】
上記表示状態を変更又は相違させる対象は上記複数のシンボル画像における背景色とすることを特徴とする請求項１又は請求項２記載の表示装置。
【請求項４】
上記表示状態を変更又は相違させる対象は上記複数のシンボル画像における前景色とすることを特徴とする請求項１から請求項３のいずれか１項に記載の表示装置。
【請求項５】
上記表示装置が複数存在する場合、上記表示状態変更情報又は上記表示状態に係る情報を上記モニタ装置に映し出すタイミングを、１つの定周期タイマーを使用することにより、上記複数の表示装置に対して同時に通知することを特徴とする請求項１から請求項４のいずれか１項に記載の表示装置。
【発明の詳細な説明】
【技術分野】
【０００１】
この発明は、計算機を使用して作成した表示情報を、汎用の映像処理装置を使用してモニタ装置に表示する表示装置に関するものであり、特にフリッカ等によって表示させる表示状態の同期を採ることができる表示装置に関するものである。
【背景技術】
【０００２】
従来の装置では、画面上に表示されている複数の領域からなる表示状態を同時に変更したい場合、変更指示が映像処理装置に逐次伝送され、モニタ装置上にも変更された映像が逐次映し出されていた。
【０００３】
又ＬＳＩ等による専用ハードウェアによってフリッカスピードの周期に応じて周期的にシンボル色と背景色となるように交互にデータ変換したものをモニタ装置に表示するものがあった（特許文献１参照）。
【０００４】
【特許文献１】特開平０８−０４４３３０号公報
【発明の開示】
【発明が解決しようとする課題】
【０００５】
監視制御用画面においては、重要な意味を持つ情報をフリッカによって表現するものがあり、画面上の情報をオペレータに見易くさせるためには、画面上のすべてのフリッカによって表現されている領域の表示状態が同時に変更される必要がある。即ち画面上の複数の表示領域間において、点滅のタイミングにずれが生じると、オペレータは画面が非常に見難くなるのである。
【０００６】
従来の装置では、画面上にフリッカによって表現される領域が複数存在する場合、各領域の表示色の変更がモニタ装置上の映像の表示状態に反映されるタイミングにずれが生じ、オペレータは画面上の情報が見難いという問題点があった。
【０００７】
又上記特許文献１に示された表示装置特有の問題として、汎用ハードウェアと汎用オペレーティングシステムの使用を前提とする表示装置には適用することができないという問題点があった。
【０００８】
この発明は上記の課題を解決するためになされたものであり、表示装置における画面内でフリッカによって表現される全ての領域の表示色を同時に変更して点滅のタイミングの同期を図ることにより、画面上の情報をオペレータに見易く、しかも正確に伝えることのできる表示装置を提供することを目的とするものである。
【課題を解決するための手段】
【０００９】
この発明の請求項１に係る表示装置は、モニタ装置に配置された複数のシンボル画像をフリッカによって表示するものであって、複数のシンボル画像の表示状態を変更する変更手段と、全てのシンボル画像の表示状態の変更が完了するまで複数のシンボル画像の表示状態変更情報を保存する保存手段と、保存された複数のシンボル画像の表示状態変更情報を受け取るとともに、複数のシンボル画像の表示状態変更情報を複数のシンボル画像間において同じタイミングによりモニタ装置に映し出す映像処理手段と、変更手段、保存手段及び映像処理手段をともに所定の周期で動作させるための計時手段とを設けたものである。
【００１０】
この発明の請求項２に係る表示装置は、複数のシンボル画像の表示状態に係る情報であって、互いに相違する表示状態に係る情報が予め保存されている複数の保存手段と、所定の周期で順次、複数の保存手段のうちから１つの保存手段を選択し選択された当該保存手段に保存された複数のシンボル画像の表示状態に係る情報をモニタ装置に映し出す映像処理手段とを設けたものである。
【発明の効果】
【００１１】
この発明の請求項１に係る表示装置によれば、モニタ装置に配置された複数のシンボル画像をフリッカによって表示するものであって、複数のシンボル画像の表示状態を変更する変更手段と、全てのシンボル画像の表示状態の変更が完了するまで複数のシンボル画像の表示状態変更情報を保存する保存手段と、保存された複数のシンボル画像の表示状態変更情報を受け取るとともに、複数のシンボル画像の表示状態変更情報を複数のシンボル画像間において同じタイミングによりモニタ装置に映し出す映像処理手段と、変更手段、保存手段及び映像処理手段をともに所定の周期で動作させるための計時手段とを設けたので、画面の表示状態変更情報を映像処理装置に転送する際、変更途中の情報が映像処理装置に転送されるのを防止し、変更後の情報全体を同時に転送することができ、画面上の情報をオペレータに正確に伝えることができるようになる。
【００１２】
又この発明の請求項２に係る表示装置によれば、複数のシンボル画像の表示状態に係る情報であって、互いに相違する表示状態に係る情報が予め保存されている複数の保存手段と、所定の周期で順次、複数の保存手段のうちから１つの保存手段を選択し選択された当該保存手段に保存された複数のシンボル画像の表示状態に係る情報をモニタ装置に映し出す映像処理手段とを設けたので、計算機内において周期的に実行される表示状態変更処理に必要な演算量を大幅に削減することができる。
【発明を実施するための最良の形態】
【００１３】
実施の形態１．
以下この発明の一実施形態を図に基づいて説明する。図１はこの発明の実施の形態１によるフリッカ色を利用した表示装置を示すブロック構成図である。図において、表示管理モジュール１が表示装置の主要な機能を担うものであり、表示管理モジュール１は表示指定色データベース２、表示色セット選択子３、背景指定色管理表４Ａ及び変更イメージ生成用内部バッファ５から構成されており、表示指定色データベース２、表示色セット選択子３及び背景指定色管理表４Ａが請求項１における変更手段に該当し、又変更イメージ生成用内部バッファ５が請求項１における保存手段に該当する。
【００１４】
ここでフリッカとは主に注意喚起の目的で使用されるものであり、画面上で周期的に点滅あるいは明滅によって表現されることを指しており、ブリンクと呼ばれる場合もある。図１においては、画面例としてシンボル画像Ｗ１〜Ｗ６を設けた場合について説明する。
【００１５】
シンボル画像Ｗ１〜Ｗ６はそれぞれに対応する何らかの状態を表現するものである。各シンボル画像Ｗ１〜Ｗ６の背景色は、対応する状態の変化に応じて、継続して点灯、継続して消灯及びフリッカ（点滅）の３つの状態のうちのいずれかの状態を取るものとし、背景指定色管理表４Ａを用いてシンボル画像Ｗ１〜Ｗ６と背景色とを対応付けるものである。
【００１６】
表示指定色データベース２は、上記継続して点灯、継続して消灯及びフリッカ状態を統一的に扱うために用意されたデータベースであり、ＲＧＢ（Red  Green  Blue）値を表現する表示色セットＳ１、Ｓ２から構成されている。表示指定色データベース２によって定義された色をシンボル画像Ｗ１〜Ｗ６に適用するためのインタフェースとして機能させるために、表示指定色データベース２には「色番号」という識別子Ｃ１〜Ｃ６が設定されている。
【００１７】
ここで識別子Ｃ１は継続して消灯している状態を示し、Ｃ２〜Ｃ４は継続して点灯している状態を示し、Ｃ５、Ｃ６はフリッカ状態を示している。ここで消灯状態とはＲＧＢ値が「白」である状態をいう。更にフリッカ状態Ｃ５、Ｃ６においては、表示色セットＳ１においては点灯状態のＲＧＢ値を示すとともに、表示色セットＳ２においては消灯状態のＲＧＢ値「白」を示している。
【００１８】
表示色セット選択子３は、表示指定色データベース２で定義されている２つの表示色セットＳ１、Ｓ２のうちの１つを選択するものである。表示管理モジュール１は変更イメージ生成用内部バッファ５を使用してシンボル画像Ｗ１〜Ｗ６における映像の変更が開始されてからシンボル画像Ｗ１〜Ｗ６全ての変更が完了するまでの間の状態を保存する。そして表示管理モジュール１、定周期タイマ（計時手段）６及び映像処理装置７は１つの計算機内に構成され、この計算機によって表示色セット選択子３等を使用することにより各種計算がなされる。又映像処理装置７にはモニタ装置９が接続されており、このモニタ装置９にシンボル画像Ｗ１〜Ｗ６が配置されている。
【００１９】
次に動作について説明する。図２はこの発明の実施の形態１による表示装置の動作を示すフローチャートであり、定周期タイマ６より周期的に表示管理モジュール１に通知を行い、表示状態変更処理が開始される（STEP200）。表示状態変更処理は先ず表示色セット選択子３の値を変更することから始める。
【００２０】
即ち表示色セット選択子３が指定する表示色セットＳ１とＳ２とを交互に切り替える。以前に表示色セットＳ１が選択されているときには今回は表示色セットＳ２が選択され、逆に以前に表示色セットＳ２が選択されているときには今回は表示色セットＳ１が選択される（STEP201）。このように表示色セットがＳ１からＳ２、あるいは表示色セットがＳ２からＳ１に切り替わることを表示状態の変更という。
【００２１】
次に表示色セット選択子３が指定する表示色セットＳ１とＳ２を用いてシンボル画像Ｗ１〜Ｗ６の表示の変更を周期的に行う。その際、変更イメージ生成用内部バッファ５を使用して変更中のデータの保存を行う（STEP202）。表示管理モジュール１はすべてのシンボル画像Ｗ１〜Ｗ６の表示変更が完了した後、変更イメージ生成用内部バッファ５の内容を計算機内部バス（例えばＰＣＩバス）によって映像処理装置７に周期的に転送し（STEP203）、これに基づいて表示映像データ格納バッファ８の内容を変更する。更にその変更された映像はシンボル画像Ｗ１〜Ｗ６間において同じタイミングによりモニタ装置９に映される。
【００２２】
図３は図１に示されたシンボル画像Ｗ１〜Ｗ６が表示指定色データベース２によって具体的にどのように時系列的に表示されるかを示す表である。シンボル画像Ｗ３、Ｗ６がフリッカ状態によって表示される場合を示し、シンボル画像Ｗ１、Ｗ５は継続して点灯状態が続く状態を示し、更にシンボル画像Ｗ２、Ｗ４は継続して消灯状態が続く状態を示している。
【００２３】
従来においてはシンボル画像Ｗ３，Ｗ６の点滅における開始タイミングがばらばらであったのを本発明では開始タイミングを揃えるようにすることで見やすくしたものである。例えば図４に示すように、従来においてはＷ３の点灯の開始時刻はｔ１でＷ６の点灯の開始時刻はｔ２であったのをＷ３、Ｗ６両者ともｔ１にしたものである。更には消灯の開始タイミングも同じにし、以下点灯、消灯の開始タイミングを継続して同じにし続ける。この場合Ｗ３、Ｗ６の点灯、消灯時間は同じである。Ｗ１、Ｗ２、Ｗ４、Ｗ６についても点灯又は消灯の開始タイミングをｔ１にする。Ｗ１、Ｗ２、Ｗ４、Ｗ６については一旦点灯又は消灯状態にすると、表示色セットＳ１，Ｓ２の切り替えに関わらずｔ１から同じ状態が継続する。
【００２４】
以上のように本発明によれば、モニタ装置９に表示されるシンボル画像Ｗ１〜Ｗ６の背景色を定周期的に変更する機能を備え、色を指定されたシンボル画像Ｗ１〜Ｗ６について表示色セットＳ１及び表示色セットＳ２によって描画した映像を周期的に交互に切り替えるとともに、表示状態を変更すると同時に次の変更データを保存する（ダブルバッファリング）することにより、画面全体の表示変更を同時に行うようにすることができる。
【００２５】
したがって、専用ＬＳＩ等を使用しなくとも画面内で色が指定されたすべてのシンボル画像Ｗ１〜Ｗ６の同時変更が可能となり、画面上の情報をオペレータに正確に伝えることができるようになる。又画面の表示変更情報を映像処理装置７に定期的に転送する際、変更途中の情報が映像処理装置７に転送されるのを防止し、変更後の情報全体を一括して転送することができる。
【００２６】
実施の形態２．
図５はこの発明の実施の形態２による表示指定色データベースを示す表である。上記実施の形態１においては、表示指定色データベース２には２つの表示色セットＳ１、Ｓ２を設けた場合について説明したが、本実施形態においては、３つ以上の表示色セットＳ１，Ｓ２，・・・ＳＮを設けたものである。尚図５においては表示色セットを４個設けた場合について示している。
【００２７】
表示色セット選択子３はＳ１，Ｓ２，・・・ＳＮのうちいずれか１つを選択するものとし、表示管理モジュール１は定周期タイマ６から一定時間毎に通知されることにより、表示色セット選択子３は表示色セットをＳ１，Ｓ２，・・・ＳＮ，Ｓ１，Ｓ２，・・・という順番により巡回的に指定するようにする。
【００２８】
上記のように構成することにより、単純な点灯・消灯の繰り返し表現だけでなく、点滅色のバリエーションとして長周期点滅色（図５におけるＣ５、Ｃ６）と短周期点滅色（Ｃ７〜Ｃ１０）を設定することが可能になり、また明暗や色調が段階的に変化する表示色を設定することによりアニメーション的な表現が可能になるという効果がある。
【００２９】
実施の形態３．
図６はこの発明の実施の形態３による表示管理モジュール１を示す構成図である。上記実施の形態１、２では、背景指定色管理表４Ａを設けた場合について説明したが、本実施形態においては、背景指定色管理表４Ａの他に前景指定色管理表４Ｂを設けたものである。このようにすれば、背景色による表示方法に加えて、前景である文字（図６ではＷ１、Ｗ２、Ｗ３、Ｗ４、Ｗ５、Ｗ６の文字）についても背景色とは独立に表示色の指定を行うことができ、Ｗ１、Ｗ２、Ｗ３、Ｗ４、Ｗ５、Ｗ６の文字自体も点灯、消灯及びフリッカによる表示をすることが可能になるという効果がある。
【００３０】
図６に示した例においては、前景である文字Ｗ１、Ｗ３、Ｗ５、Ｗ６は継続した点灯状態としての黒色で表現されると共に、文字Ｗ２、Ｗ４は点灯状態では赤色であるフリッカによって表現される。
【００３１】
図６に示した例では、背景指定色管理表４Ａと前景指定色管理表４Ｂをそれぞれ独立に設けた例を示したが、管理表を１個だけ設け、管理表の項目として背景指定色または前景指定色のいずれの指定かを表すための項目を設けるようにしても良い。
【００３２】
実施の形態４．
図７はこの発明の実施の形態４による表示装置を示すブロック構成図である。上記実施の形態１〜３では、変更イメージ生成用内部バッファ５を１つ設け、定周期タイマ６から通知を受ける毎に変更イメージ生成用内部バッファ５の内容を変更するようにした場合を示したが、本実施形態においては、表示色セット選択子３を設けないで、表示色セットＳ１に対応する変更イメージ生成用内部バッファ５Ａと表示色セットＳ２に対応する変更イメージ生成用内部バッファ５Ｂを表示管理モジュール１内に設けて、シンボル画像Ｗ１〜Ｗ６に指定する表示指定色を変更する際には変更イメージ生成用内部バッファ５Ａ、５Ｂの内容をあらかじめ互いに相違したものとしておく。
【００３３】
そして定周期タイマ６から通知があった場合には、変更イメージ生成用内部バッファ５Ａ、５Ｂの内容を交互に周期的に映像処理装置７に伝送する。このようにすれば、実施の形態１に示されるような表示色セット選択子３によって逐一指定する必要がないので、計算機内において周期的に実行される表示状態変更処理に必要な演算量を大幅に削減することができるという効果がある。尚図７においては、表示色セットを２つ設ける場合について説明したが、表示色セットを実施の形態２と同様３つ以上設け、それに伴い変更イメージ内部バッファも３つ以上設けるようにしても良い。
【００３４】
実施の形態５．
図８はこの発明の実施の形態５による表示装置を示すブロック構成図である。上記実施の形態１〜４においては、１台の計算機に対して１台のモニタ装置９が接続された場合を示したが、１台の計算機１０に対して複数のモニタ装置９ａ〜９ｃを接続し、各モニタ装置９ａ〜９ｃには、それぞれ表示管理モジュール１ａ〜１ｃ及び映像処理装置７ａ〜７ｃを対応させるようにしても良い。
【００３５】
以上のように構成することにより、定周期タイマ６から全ての表示管理モジュール１ａ〜１ｃに対して表示状態変更処理を起動するタイミングを同時に通知することにより、複数の映像処理装置７ａ〜７ｃの間において同時に表示内容を変更することができ、モニタ装置が複数存在する場合でも画面上の情報をオペレータに正確に伝えることができる。
【００３６】
実施の形態６．
図９はこの発明の実施の形態６による表示装置を示すブロック構成図である。上記実施の形態１〜５においては、１台の計算機のみを設けた場合について説明したが、複数の計算機１０ａ〜１０ｃにそれぞれ表示管理モジュール１ａ〜１ｃ及び映像処理装置７ａ〜７ｃを設けるようにしても良い。
【００３７】
そして定周期タイマ６とすべての計算機１０ａ〜１０ｃをネットワーク或いはＩ／Ｏインタフェース１１等で接続し、定周期タイマ６からすべての表示管理モジュール１ａ〜１ｃに対して表示状態変更処理を起動するタイミングを同時に通知することにより、複数の計算機１０ａ〜１０ｃ間でも同時に表示内容を変更することができ、モニタ装置が複数存在する場合でも画面上の情報をオペレータに正確に伝えることができる。
【００３８】
上記説明では、この発明の用途として監視画面に用いる場合について説明したが、その他計算機を使用して画面を提供する分野一般にも利用することができる。
【図面の簡単な説明】
【００３９】
【図１】この発明の実施の形態１による表示装置を示すブロック構成図である。
【図２】この発明の実施の形態１による表示装置の動作を示すフローチャートである。
【図３】シンボル画像が表示指定色データベースによって具体的にどのように時系列的に表示されるかを示す表である。
【図４】点灯状態の開始タイミングを示す図である。
【図５】この発明の実施の形態２による表示指定色データベースを示す表である。
【図６】この発明の実施の形態３による表示管理モジュールを示す構成図である。
【図７】この発明の実施の形態４による表示装置を示すブロック構成図である。
【図８】この発明の実施の形態５による表示装置を示すブロック構成図である。
【図９】この発明の実施の形態６による表示装置を示すブロック構成図である。
【符号の説明】
【００４０】
２  表示指定色データベース、３  表示色セット選択子、４Ａ  背景指定色管理表、
４Ｂ  前景指定色管理表、５  変更イメージ生成用内部バッファ、６  定周期タイマ、
９  モニタ装置。
【図１】
2010066342.tif 000003
【図２】
2010066342.tif 000004
【図３】
2010066342.tif 000005
【図４】
2010066342.tif 000006
【図５】
2010066342.tif 000007
【図６】
2010066342.tif 000008
【図７】
2010066342.tif 000009
【図８】
2010066342.tif 000010
【図９】
2010066342.tif 000011